(57)【要約】【課題】  広告用表示体の揺動運動力をパワーアップし、同一種の揺動装置で大きさや重さの異なる複数種類の広告用表示体を適正に揺動可能にする。【解決手段】  フレーム本体１１に揺動可能に支持され上端に広告用表示体１５を有する振子１２の下端に一対の永久磁石１６A，１６Bを揺動方向に離間して設け、この各永久磁石１６A，１６Bと別々に相対向する一対の駆動コイル１７A，１７Bをフレーム本体１１内に設け、駆動コイル１７Aと１７Bに無安定マルチバイブレータ回路１８から所定の時定数で交互に励磁電流を供給して、各駆動コイル１７A，１７Bをこれに対向する永久磁石１６A，１６Bの磁極と反発し合う(または吸引し合う)磁極に励磁することで、慣性力で振子運動する広告用表示体１５、永久磁石１６A，１６Ｂ及び重り２０を含む振子１２の揺動運動を助長するように構成した。【選択図】  図２
2006071885.tif 000002
【特許請求の範囲】
【請求項１】
所定間隔離して平行に配置された第１及び第２支持部と該第１及び第２支持部間を一体に結合する結合部材とを有するフレーム本体と、
上下方向に長尺な振子と、
前記振子のほぼ中間箇所に該振子の長手方向と直角な方向に延在して設けられた支持軸と、
前記第１及び第２支持部の一端箇所に相対向してそれぞれ設けられ、前記支持軸の両端を該支持軸が転動し得るように支承する一対の軸受部材と、
前記フレーム本体の外方へ突出する前記振子の一端に取り付けられた商品の広告用表示体と、
前記フレーム本体の内側に位置する前記振子の他端に該振子の長手方向と直角でかつ前記支持軸と直角な振子揺動方向に延在して設けられたマグネット支持片と、
前記マグネット支持片の両端箇所に互いに離間してそれぞれ設けられた一対の永久磁石と、
前記第１及び第２支持部の一方の内側箇所に前記各永久磁石と別々に相対向するようにして前記振子の揺動方向に配設された一対の駆動コイルと、
前記フレーム本体内に装着され前記各駆動コイルに所定の時定数で交互に励磁電流を供給して該各駆動コイルをこれに対向する永久磁石の磁極と反発または吸引し合う磁極に励磁することにより、慣性モーメントで振子運動する前記広告用表示体を含む振子の揺動運動を助長する無安定マルチバイブレータ回路と、
前記駆動コイル及び前記無安定マルチバイブレータ回路に電力を供給する電源とを備えることを特徴とする表示体の揺動装置。
【請求項２】
前記軸受部材は、金属製の薄板からなり、前記薄板は前記支持軸を転動可能に支承する水平方向に長い楕円形状の軸受孔を有することを特徴とする請求項１記載の表示体の揺動装置。
【請求項３】
前記電源は、前記駆動コイル及び前記無安定マルチバイブレータ回路に供給される電力を蓄積する電源用電解コンデンサと、該電源用電解コンデンサに充電電流を供給する太陽電池とから構成されていることを特徴とする請求項１記載の表示体の揺動装置。
【請求項４】
前記フレーム本体の外方へ突出する前記振子の一端に該振子の長手方向に移動可能に取り付けられたクリップを有し、このクリップに前記広告用表示体が着脱可能に保持されるように構成されていることを特徴とする請求項１記載の表示体の揺動装置。
【請求項５】
前記振子の他端に前記広告用表示体との重量バランスを調整する重りを設け、かつ前記重りを前記振子の長手方向に移動可能に位置調整できるように構成したことを特徴とする請求項１または４記載の表示体の揺動装置。
【請求項６】
前記フレーム本体を天井等から吊り下げ状態に保持しもしくは壁面等に保持する保持クリップが前記をフレーム本体に着脱可能に設けられていることを特徴とする請求項１、４または５の何れか１項に記載の表示体の揺動装置。
【発明の詳細な説明】
【技術分野】
【０００１】
本発明は、商品を形取った広告体や商品を印刷した平板状広告体などのように商品の広告表示を可能にした表示体を店頭または店内において自動的に揺動運動させるムービングディスプレイ等に利用される表示体の揺動装置に関するものである。
【背景技術】
【０００２】
従来、商品の広告表示などを行う表示体を揺動させる揺動装置は、上下方向に長尺な振子と、この振子を支持部材に揺動可能に支持する支承部と、振子の上端に設けられた商品広告用の表示体（意匠パネル）と、振子の下端に設けられた１個の永久磁石と、この永久磁石と微小間隔離して対向するように上記支持部材に配置された１つの駆動コイルと、この駆動コイルに発振電流を供給する非安定マルチバイブレータ回路と、この非安定マルチバイブレータ回路に電力を供給するとともに駆動コイルに発振電流を供給する一次電池または太陽電池と電解コンデンサを組み合わせたものからなる電源とを備える構成になっている（例えば特許文献１参照）。
【特許文献１】特許第２９３７２８７号
【発明の開示】
【発明が解決しようとする課題】
【０００３】
上記のような従来の表示体揺動装置では、支持部材に対する振子支承部の摩擦抵抗を大幅に低減して省電力化するために、支持部材に支持される支承部の箇所をナイフエッジに加工し、さらに、このナイフエッジが接する支持部材の箇所をＶ字状に加工している。しかし、振子支承部をナイフエッジ状に加工したり、支持部材の支承箇所をＶ字加工することは、その加工に多くの手数がかかり、製品コストを上昇させる問題がある。
【０００４】
また、従来の表示体揺動装置においては、１個の永久磁石と１つの駆動コイルを利用して、表示体を含む振子を揺動運動させるものであるため、大きな揺動運動力を発生させることができず、振子に取り付けられる広告用の表示体の大きさ及び重さが限定されてしまう。そのため、大きなまたは重い表示体を揺動運動させようとすると、これに適合する大きなパワーを有する永久磁石及び駆動コイルを使用しなければならず、振子を含めた支持部材も大型化してしまう。したがって、一種類の表示体揺動装置を大きさや重さの異なる複数種類の表示体に兼用することができなかった。
【０００５】
また、従来の表示体揺動装置における支持部材への振子の支承構造は、支持部材のＶ字部に振子支承部のナイフエッジを載置する方式であるとともに、振子の上端に表示体を、振子の下端に永久磁石をそれぞれ設ける構造であるため、表示体を上方に支持部材を下にしてショーケース上などに載置して使用されるのがほとんどであり、支持部材を上方に表示体を下にした天井吊り下げ式のものには適用できなかった。
【０００６】
本発明は上記のような従来の問題点を解決するためになされたもので、広告用表示体の揺動運動力をパワーアップできるとともに、同一種の揺動装置で大きさや重さの異なる複数種類の広告用表示体を適正に揺動可能にし、併せて、同一の装置を広告用表示体がフレーム本体の上方で揺動されるショーケース等への載置方式に限らず、広告用表示体がフレーム本体の下方で揺動される吊り下げ式などに使用できる表示体揺動装置を提供することを目的とする。
【課題を解決するための手段】
【０００７】
上記の目的を達成するために本発明の表示体揺動装置は、所定間隔離して平行に配置された第１及び第２支持部と該第１及び第２支持部間を一体に結合する結合部材とを有するフレーム本体と、上下方向に長尺な振子と、前記振子のほぼ中間箇所に該振子の長手方向と直角な方向に延在して設けられた支持軸と、前記第１及び第２支持部の一端箇所に相対向してそれぞれ設けられ、前記支持軸の両端を該支持軸が転動し得るように支承する一対の軸受部材と、前記フレーム本体の外方へ突出する前記振子の一端に取り付けられた商品の広告用表示体と、前記フレーム本体の内側に位置する前記振子の他端に該振子の長手方向と直角でかつ前記支持軸と直角な振子揺動方向に延在して設けられたマグネット支持片と、前記マグネット支持片の両端箇所に互いに離間してそれぞれ設けられた一対の永久磁石と、前記前記第１及び第２支持部の一方の内側箇所に前記各永久磁石と別々に相対向するようにして前記振子の揺動方向に配設された一対の駆動コイルと、前記フレーム本体内に装着され前記各駆動コイルに所定の時定数で交互に励磁電流を供給して該各駆動コイルをこれに対向する永久磁石の磁極と反発または吸引し合う磁極に励磁することにより、慣性モーメントで振子運動する前記広告用表示体を含む振子の揺動運動を助長する無安定マルチバイブレータ回路と、前記駆動コイル及び前記無安定マルチバイブレータ回路に電力を供給する電源とを備えることを特徴とする。
【０００８】
請求項２の発明は、請求項１記載の表示体の揺動装置において、前記軸受部材は、金属製の薄板からなり、前記薄板は前記支持軸を転動可能に支承する水平方向に長い楕円形状の軸受孔を有することを特徴とする。
【０００９】
請求項３の発明は、請求項１記載の表示体の揺動装置において、前記電源は、前記駆動コイル及び前記無安定マルチバイブレータ回路に供給される電力を蓄積する電源用電解コンデンサと、該電源用電解コンデンサに充電電流を供給する太陽電池とから構成されていることを特徴とする。
【００１０】
請求項４の発明は、請求項１記載の表示体の揺動装置において、前記フレーム本体の外方へ突出する前記振子の一端に該振子の長手方向に移動可能に取り付けられたクリップを有し、このクリップに前記広告用表示体が着脱可能に保持されるように構成されていることを特徴とする。
【００１１】
請求項５の発明は、請求項１または４記載の表示体の揺動装置において、前記振子の他端に前記広告用表示体との重量バランスを調整する重りを設け、かつ前記重りを前記振子の長手方向に移動可能に位置調整できるように構成したことを特徴とする。
【００１２】
請求項６記載の発明は、請求項１、４または５の何れか１項に記載の表示体の揺動装置において、前記フレーム本体を天井等から吊り下げ状態に保持しもしくは壁面等に保持する保持クリップが前記をフレーム本体に着脱可能に設けられていることを特徴とする。
【発明の効果】
【００１３】
本発明の表示体揺動装置によれば、振子の他端に設けたマグネット支持片にマグネット支持片の延在方向である揺動方向に一対の永久磁石を離間して設け、第１及び第２支持部の一方の内側箇所に各永久磁石と別々に相対向する一対の駆動コイルを設け、この各駆動コイルに無安定マルチバイブレータ回路から所定の時定数で交互に励磁電流を供給して該各駆動コイルをこれに対向する永久磁石の磁極と反発または吸引し合う磁極に励磁することにより、慣性モーメントで振子運動する前記広告用表示体を含む振子の揺動運動を助長するように構成したので、小容量の電源や無安定マルチバイブレータ回路及び駆動コイルで広告用表示体に対する揺動運動力をパワーアップできるとともに広告用表示体を安定して揺動運動させ得るほか、広告用表示体の揺動振幅を大きくできる。
【００１４】
また、本発明によれば、振子の支持軸とこれを支承する軸受部材との関係は、振子の支持軸が振子の揺動運動につれて軸受部材の受け面上を転動する構造になっているため、支持軸と軸受部材との間には摩擦抵抗がほとんど生ぜず、その結果、電源や無安定マルチバイブレータ回路及び駆動コイルの小容量化を促進できる。
【００１５】
また、本発明によれば、軸受部材を金属製の薄板から形成し、この薄板に水平方向に長い楕円形状の軸受孔を形成し、フレーム本体の天地が逆になった状態においても振子の支持軸を上記楕円形状の軸受孔により転動可能に支承する構成にしたので、広告用表示体がフレーム本体の上方で揺動される載置方式に限らず、広告用表示体がフレーム本体の下方で揺動される吊り下げ式の揺動装置にも使用できるほか、軸受部材はプレスなどにより簡単に加工できるため、製品の低コスト化が可能になるとともに、フレーム本体に保持クリップを着脱可能に設ける構成にすることにより、本表示体揺動装置を載置式や天井吊り下げ式や垂直壁面などへの取り付け形態を自由に選定できる。
【００１６】
さらに、本発明によれば、振子の一端に設けられたクリップによって広告用表示体を振子の長手方向に位置調整可能にするとともに、広告用表示体との重量バランスを調整する重りを振子の下端に設け、重りを振子の長手方向に移動可能に位置調整できるように構成したので、同一種の揺動装置で大きさや重さの異なる複数種類の広告用表示体を適正に揺動運動させることができるとともに、広告用表示体の揺動振幅を任意に設定することができ、かつ広告用表示体との重量バランスを微調整か可能になる。
【発明を実施するための最良の形態】
【００１７】
広告用表示体の揺動運動力をパワーアップできるとともに、同一種の揺動装置で大きさや重さの異なる複数種類の広告用表示体を適正に揺動可能にし、かつ広告用表示体がフレーム本体の上方で揺動される載置方式に限らず、広告用表示体がフレーム本体の下方で揺動される吊り下げ式などに選定する目的は、振子の他端に設けたマグネット支持片にマグネット支持片の延在方向に一対の永久磁石を離間して設けるとともに、第１及び第２支持部の一方の内側箇所に各永久磁石に別々に相対向する一対の駆動コイルを設け、この各駆動コイルに無安定マルチバイブレータ回路から所定の時定数で交互に励磁電流を供給して各駆動コイルをこれに対向する永久磁石の磁極と反発または吸引し合う磁極に励磁することにより、慣性モーメントで振子運動する前記広告用表示体を含む振子の揺動運動を助長するようにし、かつ振子の一端に設けられたクリップによって広告用表示体を振子の長手方向に位置調整可能にするとともに広告用表示体との重量バランスを調整する重りを振子の長手方向に移動可能に設け、さらに、振子の一端に設けられたクリップによって広告用表示体を振子の長手方向に位置調整可能にするとともに広告用表示体との重量バランスを調整する重りを振子の長手方向に移動可能に設けることで実現できる。
【実施例１】
【００１８】
以下、本発明の実施例１について、図面を参照して説明する。
図１は本実施例１における表示体揺動装置の全体の構成を示す斜視図、図２は本実施例１における表示体揺動装置の縦断側面図、図３は図２の３−３線に沿う断面図、図４は図２の４−４線に沿う断面図、図５は図２の矢印５方向から見た背面図、図６は図２の矢印６方向から見た底面図、図７は本実施例１における軸受部材と第１支持部（または第２支持部）への軸受部材の装着状態を示す拡大正面図、図８は本実施例１における重りの正面図、図９は本実施例１の表示体揺動装置に適用される無安定マルチバイブレータ回路の一例を示す回路図、図１０は本実施例１における駆動コイルの非励磁時と励磁時の永久磁石との位置関係を示す説明図である。
【００１９】
図１〜図４において、表示体揺動装置１０は、フレーム本体１１、振子１２、振子１２の支持軸１３、支持軸１３の両端をフレーム本体１１に支承する一対の軸受部材１４Ａ，１４Ｂ、商品の広告用表示体１５、一対の永久磁石１６Ａ，１６Ｂ、一対の駆動コイル１７Ａ，１７Ｂ、無安定マルチバイブレータ回路１８及び重量バランス調整用重り２０を備える。
【００２０】
フレーム本体１１は、図１〜図４に示すように、所定間隔離して平行に配置された、合成樹脂材により略長方形に成形された板状の第１及び第２支持部１１１，１１２と、この第１支持部１１１と第２支持部１１２との間の上端側左右２箇所を一体に結合するロッド状の結合部材１１３と、第１支持部１１１と第２支持部１１２との間の下端部を底部が形成されるように一体に結合する結合部材１１４とを有し、この左右の結合部材１１３同士は第１支持部１１１を貫通して第２支持部１１２側の結合部材１１３にねじ込まれるタッピングネジ１１５により結合され、また、下端部側の結合部材１１４同士は第１支持部１１１を貫通して第２支持部１１２側の結合部材１１４にねじ込まれるタッピングネジ１１６により左右２箇所で結合される。
【００２１】
振子１２は合成樹脂材から成形されるもので、図２及び図３に示すように、第１と第２支持部１１１，１１２間の間隔にほぼ相当する長さの筒状ボス部１２１と、このボス部１２１から上方へ鉛直に延びる所望長さの第１部材１２２と、ボス部１２１から下方へ鉛直に延びる所望長さの第２部材１２３とから構成され、この第１及び第２部材１２２，１２３はほぼ同一の長さを有している。また、上記第１部材１２２の上端寄り箇所には、商品の広告用表示体１５を第１部材１２２の上端に保持するためのクリップ１９を第１部材１２２の長手方向に移動可能に案内するガイド用長孔１２２Ａが第１部材１２２の長手方向に沿って形成され、さらに、第１部材１２２のガイド用長孔１２２Ａとボス部１２１との間に位置する箇所にはクリップ１９をガイド用長孔１２２Ａに沿って段階的に位置決めする複数の段部１２２Ｂが形成されている。
【００２２】
フレーム本体１１の内側に位置する振子１２の第２部材１２３の垂下端には、第２部材１２３を中心にして第２部材１２３の長手方向と直角でかつ支持軸１３と直角な振子揺動方向に延在する同一長さの一対のマグネット支持片１２４Ａ，１２４Ｂがそれぞれ設けられ、この各マグネット支持片１２４Ａ，１２４Ｂの先端には永久磁石１６Ａ，１６Ｂがそれぞれ設けられている。また、第２部材１２３の垂下端寄り箇所には、重量バランス調整用重り２０を第２部材１２３の長手方向に移動可能に案内するガイド溝１２３Ａが形成されている。
【００２３】
重量バランス調整用重り２０は、支持軸１３を中心にして振子１２の広告用表示体１５側が上方に位置し、永久磁石１６Ａ，１６Ｂ側が下方に位置するように、または上記と逆に、図１に示すフレーム本体１１の天地が逆になって、支持軸１３を中心に永久磁石１６Ａ，１６Ｂ側が上方に位置し、広告用表示体１５がフレーム本体１１の下方で揺動できるように広告用表示体１５との重量バランスを調整するためのもので、図２及び図８に示すように、金属製の磁性板材により、マグネット支持片１２４Ａ，１２４Ｂの全長より大きい長さに構成され、そして、この重り２０はマグネット支持片１２４Ａ，１２４Ｂの反駆動コイル側に配置され、マグネット支持片１２４Ａ，１２４Ｂに取り付けた永久磁石１６Ａ，１６Ｂの吸着力によりマグネット支持片１２４Ａ，１２４Ｂに保持されるように構成されている。また、重り２０の重心位置には上記ガイド溝１２３Ａに係合される突条２０１が形成され、重り２０をガイド溝１２３Ａに沿って第２部材１２３の長手方向に移動できるようになっている。
【００２４】
一対の駆動コイル１７Ａ，１７Ｂは、第１及び第２支持部１１１，１１２の一方、すなわち、上記振子１２の永久磁石１６Ａ，１６Ｂと正対する第２支持部１１２の内側箇所に各永久磁石１６Ａ，１６Ｂと別々に相対向するようにして振子１２の揺動方向に沿い配設され、そして、永久磁石１６Ａ，１６Ｂと駆動コイル１７Ａ，１７Ｂとの間は１mm以下の微小間隔をおいて対向している。なお、駆動コイル１７Ａ，１７Ｂの巻径は永久磁石１６Ａ，１６Ｂの直径の約２倍になっている。
【００２５】
振子１２の支持軸１３は、図１及び図２に示すように、ボス部１２１の軸心にこれを貫通するようにして設けられ、そして、ボス部１２１の両端から外方へ突出する支持軸１３の両端は、第１支持部１１１と第２支持部１１２の相対向する上端箇所にそれぞれ設けた軸受部材１４Ａ，１４Ｂに転動可能に支承されている。
【００２６】
軸受部材１４Ａ，１４Ｂは、図２、図３及び図７に示すように、金属製の薄板１４１からなり、この薄板１４１には水平方向に長い楕円形状の軸受孔１４２を形成し、この楕円形状の軸受孔１４２を構成する上下の円弧状縁１４２Ａ、１４２Ｂによりフレーム本体１１の天地が逆にされた状態においても振子１２の支持軸１３を転動可能に支承する。すなわち、広告用表示体１５がフレーム本体１１の上方で揺動される載置方式に限らず、広告用表示体１５がフレーム本体１１の下方で揺動される吊り下げ式にしても軸受部材１４Ａ，１４Ｂを同一のもので構成できる。
【００２７】
また、上記薄板１４１は、図３、図４及び図７に示すように、薄板１４１を第１及び第２支持部１１１，１１２に対する取り付け位置を決定する一対の位置決め片１４３と、薄板１４１を第１及び第２支持部１１１，１１２に対して位置決めするとともに第１及び第２支持部１１１，１１２に固定するための取り付け孔１４４とを有し、薄板１４１の位置決め片１４３は第１及び第２支持部１１１，１１２に設けた位置決め部１１１Ａに係合させ、かつ薄板１４１の取り付け孔１４４を第１及び第２支持部１１１，１１２に突設した固定ピン１１１Ｂに係合した後、固定ピン１１１Ｂを加熱溶融して押圧することにより薄板１４１からなる軸受部材１４Ａ，１４Ｂをそれぞれの第１及び第２支持部１１１，１１２に固定するようになっている。
【００２８】
無安定マルチバイブレータ回路１８は、駆動コイル１７Ａ，１７Ｂに所定の時定数で交互に励磁電流を供給して駆動コイル１７Ａ，１７Ｂをこれに対向する永久磁石１６Ａ，１６Ｂの磁極と反発または吸引し合う磁極に励磁することにより、慣性モーメントで振子運動する広告用表示体１５を含む振子１２の揺動運動を助長するものであり、この無安定マルチバイブレータ回路１８は、図２及び図４に示すように、第２支持部１１２内の駆動コイル１７Ａ，１７Ｂの下方に配設した配線基板２１に実装されるものである。
無安定マルチバイブレータ回路１８は、図９に示すように、一対のＰＮＰ型トランジスタＱ１，Ｑ２を備え、この各トランジスタＱ１，Ｑ２のエミッタは電源用電解コンデンサＣ１（２２０μＦ）の正極に接続され、電源用電解コンデンサＣ１の負極はアース端子に接続されている。
【００２９】
トランジスタＱ１のコレクタとアース端子間には、駆動コイル１７Ａとトランジスタ等に発生するノイズを除去するノイズ除去用コンデンサＣ２（０.１μＦ）との並列回路が直列に接続され、トランジスタＱ１のベースとアース端子間には、トランジスタＱ１のオン時定数を設定する抵抗Ｒ１（２ＭΩ）が直列に接続されている。さらに、トランジスタＱ１のベースと抵抗Ｒ１との接続点とトランジスタＱ２のエミッタ間には、トランジスタＱ１のオン時定数を設定するコンデンサＣ３（４.７μＦ）が直列に接続されている。
【００３０】
トランジスタＱ２のコレクタとアース端子間には、駆動コイル１７Ｂとトランジスタ等に発生するノイズを除去するノイズ除去用コンデンサＣ４（０.１μＦ）との並列回路が直列に接続され、トランジスタＱ２のベースとアース端子間には、トランジスタＱ２のオン時定数を設定する抵抗Ｒ２（２ＭΩ）が直列に接続されている。さらに、トランジスタＱ２のベースと抵抗Ｒ２との接続点とトランジスタＱ１のエミッタ間には、トランジスタＱ２のオン時定数を設定するコンデンサＣ５（４.７μＦ）が直列に接続されている。
【００３１】
図９において、２２は太陽光または照明光などの光を電流に変換する太陽電池であり、この太陽電池２２から出力される電流は電源用電解コンデンサＣ１に充電されるように構成されている。
なお、上記電源用電解コンデンサＣ１と太陽電池２２は、無安定マルチバイブレータ回路１８及び駆動コイル１７Ａ，１７Ｂに電力を供給する電源を構成している。
【００３２】
次に、上記のように構成された本実施例１に示す表示体揺動装置の動作について説明する。
振子１２が鉛直に垂下された状態で、かつ駆動コイル１７Ａ，１７Ｂが非励磁状態にある時、振子１２垂下端にある永久磁石１６Ａは、図１０の実線に示すように、駆動コイル１７Ａの左半分と相対向する位置にあり、また、永久磁石１６Ｂは、図１０の実線に示すように、駆動コイル１７Ｂの右半分と相対向する位置にある。また、太陽電池２２に太陽光または照明灯光などの光を当てられると、太陽電池２２から発生する微小電流は電源用電解コンデンサＣ１に流れ、これを充電する。この電源用電解コンデンサＣ１の充電電圧は、太陽電池２２の出力電圧（例えば１．３Ｖ程度）に相当する電圧となる。
【００３３】
かかる状態で、トランジスタＱ１がオン状態、トランジスタＱ２がオフ状態とすると、電解コンデンサＣ１の充電電荷は、電解コンデンサＣ１−トランジスタＱ２のエミッタ側−コンデンサＣ３−抵抗Ｒ１−アース端子の経路で、コンデンサＣ３に充電電流が流れ、この充電電流はコンデンサは３がチャージアップされるまで抵抗Ｒ１に流れ続ける。これにより、抵抗Ｒ１の両端に発生する電圧がトランジスタＱ１のベース電圧として供給されるため、トランジスタＱ１はオン状態を保持する。また、コンデンサＣ３がチャージアップされた場合は抵抗Ｒ１にはほとんど電流が流れなくなり、そのベース電圧は大幅に低下するため、トランジスタＱ１はオン状態からオフ状態に移行する。
【００３４】
一方、トランジスタＱ１がオン状態にある時は、駆動コイル１７ＡにトランジスタＱ１のコレクタ電流が流れるため、この駆動コイル１７Ａは、永久磁石１６Ａと対向する側の駆動コイル１７Ａの巻端が永久磁石１６Ａの磁極（例えばＮ極）と同一の磁極となるように励磁される。このため、この励磁された駆動コイル１７Ａと永久磁石１６Ａとの磁気的反発作用により、広告用表示体１５、永久磁石１６Ａ，１６Ｂ及び重り２０を含む振子１２は支持軸１３を支点にして図３及び図１０の矢印Ａ方向に振られる。これにより、永久磁石１６Ａは、図１０の一点鎖線に示すように、駆動コイル１７Ａの左半分から外方へずれた位置に移動され、また、永久磁石１６Ｂは、図１０の一点鎖線に示すように、駆動コイル１７Ｂの左半分と相対向する位置に移動する。その後、トランジスタＱ１がオフされることにより、永久磁石１６Ａに対する駆動コイル１７Ａの磁気的反発作用がなくなると振子１２の矢印Ａ方向への振れが停止するとともに、この振子１２はその自重による慣性力で矢印Ａと逆の方向に振られ、駆動コイル１７Ａ，１７Ｂに対する永久磁石１６Ａ，永久磁石１６Ｂの位置は図１０の実線に示すようになる。
なお、コンデンサＣ３の充電電荷は、トランジスタＱ１のオフ後に電解コンデンサＣ１を通して放電される。
【００３５】
トランジスタＱ１がオン状態からオフ状態に移行された後、振子１２が自重による慣性力で矢印Ａと逆の方向へ振られることにより、これと一体の永久磁石１６Ｂが駆動コイル１７Ｂと相対向する位置に達すると、今度は、電解コンデンサＣ１の充電電荷は、電解コンデンサＣ１−トランジスタＱ１のエミッタ側−コンデンサＣ５−抵抗Ｒ２−アース端子の経路で、コンデンサＣ５に充電電流が流れ、この充電電流はコンデンサＣ５がチャージアップされるまで抵抗Ｒ２に流れ続ける。これにより、抵抗Ｒ２の両端に発生する電圧がトランジスタＱ２のベース電圧として供給されるため、トランジスタＱ２はオン状態を保持する。
【００３６】
トランジスタＱ２がオン状態にある時は、駆動コイル１７ＢにトランジスタＱ２のコレクタ電流が流れるため、この駆動コイル１７Ｂは、永久磁石１６Ｂと対向する側の駆動コイル１７Ｂの巻端が永久磁石１６Ｂの磁極（例えばＮ極）と同一の磁極となるように励磁される。このため、この励磁された駆動コイル１７Ｂと永久磁石１６Ｂとの磁気的反発作用により、広告用表示体１５、永久磁石１６Ａ，１６Ｂ及び重り２０を含む振子１２は支持軸１３を支点にして図３及び図１０の矢印Ｂ方向に振られる。これにより、永久磁石１６Ａは、図１０の破線に示すように、駆動コイル１７Ａの右半分と対向する位置に移動され、また、永久磁石１６Ｂは、図１０の破線に示すように、駆動コイル１７Ｂの右半分から外方へずれた位置に移動する。その後、トランジスタＱ２がオフされることにより、永久磁石１６Ｂに対する駆動コイル１７Ｂの磁気的反発作用がなくなると振子１２の矢印Ｂ方向への振れが停止するとともに、この振子１２はその自重による慣性力で矢印Ｂと逆の方向に振られる。
なお、コンデンサＣ５の充電電荷は、トランジスタＱ２のオフ後に電解コンデンサＣ１を通して放電される。
【００３７】
以下、上述する一連の動作を繰り返し行うことにより、広告用表示体１５、永久磁石１６Ａ，１６Ｂ及び重り２０を含む振子１２は、振子１２の上端にクリップ１９を介して取り付けた広告用表示体１５の重量、振子１２の下端に設けられる重り２０の重量及び振子１２の支持軸１３から下端までの長さに応じて設定される周期で連続して揺動運動されることになる。
【００３８】
なお、振子１２の下端に設けられる重り２０の数は、振子１２の上端に取り付けた広告用表示体１５の重量に応じて設定されるが、振子１２の下端の重量が振子１２の上端の重量より大きく、かつ振子１２が支持軸１３を支点にして鉛直状態に保持されるように構成される必要がある。
【００３９】
このように本実施例１によれば、フレーム本体１１に支持軸１３を介して揺動可能に支持され上端に広告用表示体１５を有する振子１２の下端に一対の永久磁石１６Ａ，１６Ｂを振子１２の揺動方向に離間して設け、この各永久磁石１６Ａ，１６Ｂと別々に相対向する一対の駆動コイル１７Ａ，１７Ｂをフレーム本体１１内に設け、この駆動コイル１７Ａと１７Ｂに無安定マルチバイブレータ回路１８から、Ｃ３とＲ１，Ｃ５とＲ２で設定される所定の時定数で交互に励磁電流を供給して、各駆動コイル１７Ａ，１７Ｂをこれに対向する永久磁石１６Ａ，１６Ｂの磁極と反発し合う(または吸引し合う)磁極に励磁することにより、慣性モーメントで振子運動する広告用表示体１５、永久磁石１６Ａ，１６Ｂ及び重り２０を含む振子１２の揺動運動を助長するように構成したので、小容量の電源用電解コンデンサや無安定マルチバイブレータ回路１８及び駆動コイル１７Ａ，１７Ｂで広告用表示体１５に対する揺動運動力をパワーアップできるとともに広告用表示体１５を安定して揺動運動させ得るほか、広告用表示体１５の揺動振幅を大きくできる。これにより、広告用表示体１５による広告宣伝効果を向上できる。
【００４０】
また、本実施例１によれば、振子１２の支持軸１３とこれを支承する軸受部材１４Ａ，１４Ｂとの関係は、振子１２の支持軸１３が振子１２の揺動運動につれて軸受部材１４Ａ，１４Ｂの受け面上を転動する構造にしたため、支持軸１３と軸受部材１４Ａ，１４Ｂとの間には摩擦抵抗がほとんど生ぜず、その結果、電源用電解コンデンサＣ１や無安定マルチバイブレータ回路１８及び駆動コイル１７Ａ，１７Ｂの小容量化を容易に実現できる。
【００４１】
また、本実施例１によれば、軸受部材１４Ａ，１４Ｂを金属製薄板１４１から形成し、この薄板１４１には水平方向に長い楕円形状の軸受孔１４２を形成し、この楕円形状の軸受孔１４２を構成する上下の円弧状縁１４２Ａ、１４２Ｂによりフレーム本体１１の天地が逆になった状態でも振子１２の支持軸１３を転動可能に支承する構成にしたので、同一の表示体揺動装置を広告用表示体１５がフレーム本体１１の上方で揺動される載置方式に限らず、広告用表示体１５がフレーム本体１１の下方で揺動される吊り下げ式の揺動装置にも使用でき、しかも、軸受部材１４Ａ，１４Ｂをプレスなどにより簡単に加工できるため、製品の低コスト化が可能になる。
【００４２】
さらに、本実施例１によれば、振子１２の一端に設けられたクリップ１９によって広告用表示体１５を振子１２の長手方向に位置調整可能に構成するとともに、広告用表示体１５との重量バランスを調整する重り２０を振子１２の下端に設け、この重り２０を振子１２の長手方向である上下方向に移動可能に設ける構成にしたので、同一種の揺動装置で大きさや重さの異なる複数種類の広告用表示体１５を適正に揺動運動させることができるとともに、広告用表示体１５の揺動振幅も広告用表示体１５の重量や振子１２の下端に設けられる重り２０の重量を変えることにより任意に設定することができ、かつ広告用表示体との重量バランスを微調整することができる。
【実施例２】
【００４３】
次に、図１１及び図１２により本発明の実施例２について説明する。
図１１は、表示体揺動装置１０を、広告用表示体１５がフレーム本体１１の下方で揺動される吊り下げ式の揺動装置として使用した場合の一例を示す一部切り欠きの正面図、図１２は保持クリップの側面図である。
図１１において、上記実施例１と同一の構成要素には同一符号を付してその構成説明を省略し、実施例１と異なる部分を重点に述べる。
【００４４】
上記実施例１と異なる部分は、図１１から明らかなように、広告用表示体１５がフレーム本体１１の下方で揺動されるようにフレーム本体１１の天地を図１に示す場合と逆に設定し、この天地逆にしたフレーム本体１１の上端面（フレーム本体１１を構成する第１支持部１１１と第２支持部１１２の結合部材１１４）中央箇所に四角状の係合孔１１６を形成し、この係合孔１１６には、フレーム本体１１を店などの天井から吊り下げ状態に保持する保持クリップ２５の係止部２５１が係脱可能に係合されている。また、保持クリップ２５には複数の係止爪２５２が設けられており、この各係止爪２５２はフレーム本体１１の上端面に形成した係止孔１１７（図６参照）に係合されるように構成されている。
【００４５】
また、上記保持クリップ２５は、図１１及び図１２に示すように、フレーム本体１１の上端面に密接状態に接する基板２５３と、この基板２５３上に鉛直に設けられた固定挟み片２５４と、基板２５３に固定挟み片２５４と同一の突出側へ突出して設けられ、かつ固定挟み片２５４と圧接するように折り曲げられた、バネ性を有する可動挟み片２５５とから構成されている。
【００４６】
広告用表示体１５がフレーム本体１１の下方で揺動できるようにフレーム本体１１を天地逆にして店の天井等から吊り下げる場合は、図１１に示すように、店の天井等に垂下状態に設けられた吊り下げ部材２７の下端を保持クリップ２５の固定挟み片２５４と可動挟み片２５５で挟持する。この場合、振子１２のマグネット支持片１２４Ａ，１２４Ｂに取り付けられている重り２０を取り外し、フレーム本体１１の下方に位置する広告用表示体１５の重量が、上方に位置する永久磁石１６Ａ，１６Ｂを含めた部分の重量より大きく、かつ広告用表示体１５を下にして振子１２が支持軸１３を支点に鉛直状態を保持できるように構成される。
【００４７】
このようの構成の表示体揺動装置においては、広告用表示体１５がフレーム本体１１の下方に位置するようにして使用する点が実施例１と異なるものの、広告用表示体１５に対する揺動動作は上記実施例１に示す場合と同様である。したがって、上記実施例１に示す場合と同様な作用効果が得られるほか、保持クリップ２５をフレーム本体１１に係脱可能に設けることにより、同一の表示体揺動装置１０を載置式及び天井吊り下げ式として使用できる。
【実施例３】
【００４８】
次に、図１３及び図１４により本発明の実施例３について説明する。
図１３は、表示体揺動装置１０を壁面等の垂直面に取り付けて広告用表示体を揺動させるようにした揺動装置の一例を示す一部切り欠きの正面図、図１４は保持クリップの側面図である。
図１３において、上記実施例１と同一の構成要素には同一符号を付してその構成説明を省略し、実施例１と異なる部分を重点に述べる。
【００４９】
上記実施例１と異なる部分は、図１３から明らかなように、フレーム本体１１を構成する第１支持部１１１の下端寄り中央箇所に四角状の係合孔１１８を形成し、この係合孔１１８には、フレーム本体１１を店などの壁面に保持する保持クリップ２６の係止部２６１が係脱可能に係合されている。また、保持クリップ２６には複数の係止爪２６２が設けられており、この各係止爪２６２はフレーム本体１１の上端面に形成した係止孔１１９（図５参照）に係合されるように構成されている。
【００５０】
また、上記保持クリップ２６は、図１３及び図１４に示すように、第１支持部１１１に密接状態に接する基板２６３と、この基板２６３上に鉛直に設けられた固定挟み片２６４と、基板２６３に固定挟み片２６４と同一の突出側へ突出して設けられ、かつ固定挟み片２６４と圧接するように折り曲げられた、バネ性を有する可動挟み片２６５とから構成されている。
【００５１】
このような表示体揺動装置１０を壁面に取り付けて使用する場合は、図１３に示すように、壁面に設けられた支持部材２８を保持クリップ２６の固定挟み片２６４と可動挟み片２６５で挟持する。これにより、表示体揺動装置１０は壁面に保持される。
【００５２】
このような構成の表示体揺動装置においては、表示体揺動装置１０壁面等の垂直面に配設されて使用する点が実施例１と異なるものの、広告用表示体１５に対する揺動動作は上記実施例１に示す場合と同様である。したがって、上記実施例１に示す場合と同様な作用効果が得られるほか、保持クリップ２６をフレーム本体１１の第１支持部１１１に係脱可能に設けることにより、同一の表示体揺動装置１０を載置式及び壁掛け式として使用できる。
【図面の簡単な説明】
【００５３】
【図１】本実施例１における表示体揺動装置の全体の構成を示す斜視図である。
【図２】本実施例１における表示体揺動装置の縦断側面図である。
【図３】図２の３−３線に沿う断面図である。
【図４】図２の４−４線に沿う断面図である。
【図５】図２の矢印５方向から見た背面図である。
【図６】図２の矢印６方向から見た底面図である。
【図７】本実施例１における軸受部材と第１支持部（または第２支持部）への軸受部材の装着状態を示す拡大正面図である。
【図８】本実施例１における重りの正面図である。
【図９】本実施例１の表示体揺動装置に適用される無安定マルチバイブレータ回路の一例を示す回路図である。
【図１０】本実施例１における駆動コイルの非励磁時と励磁時の永久磁石との位置関係を示す説明図である。
【図１１】本発明にかかる表示体揺動装置の実施例２を示す一部切り欠きの正面図である。
【図１２】本発明の実施例２に示す保持クリップの側面図である。
【図１３】本発明にかかる表示体揺動装置の実施例３を示す一部切り欠きの正面図である。
【図１４】本発明の実施例３に示す保持クリップの側面図である。
【符号の説明】
【００５４】
１０      表示体揺動装置
１１      フレーム本体
１１１，１１２      第１と第２支持部
１１３，１１４      結合部材
１２      振子、
１２４Ａ，１２４Ｂ  マグネット支持片
１３      支持軸
１４Ａ，１４Ｂ      軸受部材
１４１    薄板
１４２    楕円形状の軸受孔
１４２Ａ、１４２Ｂ  上下の円弧状縁
１４３    位置決め片
１４４    取り付け孔
１５      広告用表示体
１６Ａ，１６Ｂ      永久磁石
１７Ａ，１７Ｂ      駆動コイル
１８      無安定マルチバイブレータ回路
１９      クリップ
２０      重量バランス調整用重り
２２      太陽電池
Ｃ１      電源用電解コンデンサ
２５，２６          保持クリップ
【図１】
2006071885.tif 000003
【図２】
2006071885.tif 000004
【図３】
2006071885.tif 000005
【図４】
2006071885.tif 000006
【図５】
2006071885.tif 000007
【図６】
2006071885.tif 000008
【図７】
2006071885.tif 000009
【図８】
2006071885.tif 000010
【図９】
2006071885.tif 000011
【図１０】
2006071885.tif 000012
【図１１】
2006071885.tif 000013
【図１２】
2006071885.tif 000014
【図１３】
2006071885.tif 000015
【図１４】
2006071885.tif 000016